(57)【要約】【課題】電源基板と半導体発光素子とが一体化された発光ユニットが照明器具に保持されて成る照明装置において、電源基板の放熱性向上を図る。【解決手段】  半導体発光素子２１２ｂと半導体発光素子２１２ｂに電力を供給する電源部とを備える発光ユニット２００と、半導体発光素子２１２ｂからの光の主出射方向を下方とした場合に、発光ユニット２００を下側に保持する照明器具１００とを有する照明装置１０である。照明器具１００は、下方に開口した収容凹部１１１と、その内面１１１ａに固定されたカバー部材１２０とを有する。電源部２２０は、その外郭を構成する電源ケース２２２を有する。発光ユニット２００が照明器具１００に保持された状態において、電源ケース２２２の少なくとも一部は、収容凹部１１１内に位置し、カバー部材１２０は、収容凹部１１１内において電源ケース２２２と面接触している。【選択図】図３
2015032354.tif 000002
【特許請求の範囲】
【請求項１】
半導体発光素子と前記半導体発光素子を点灯させるための電力を前記半導体発光素子に供給する電源部とを有する発光ユニットと、前記発光ユニットを保持する照明器具と、を有する照明装置であって、
前記半導体発光素子からの光の主出射方向を下方とした場合に、
前記照明器具は、下方に開口した収容凹部と、熱伝導性を有し、前記収容凹部の内面に熱接続状態で固定されたカバー部材と、を有し、
前記発光ユニットは、前記照明器具の下側に取り付けられて前記収容凹部の前記開口を閉塞する板状の取付部材をさらに有し、
前記電源部は、商用電力を前記半導体発光素子点灯用の電力に変換する電源基板と、前記電源部の外郭を構成し、前記電源基板を内部に収容する電源ケースと、を有し、
前記半導体発光素子は、前記取付部材の下面に固定され、
前記電源ケースは、前記取付部材の上面に固定され、
前記発光ユニットが前記照明器具に保持された状態において、前記電源ケースの少なくとも一部は、前記収容凹部内に位置し、前記カバー部材は、前記収容凹部内において前記電源ケースと面接触している
照明装置。
【請求項２】
前記電源ケースは、上面および側面を有し、
前記カバー部材は、前記電源ケースの側面と面接触し、前記電源ケースの上面と離間している
請求項１に記載の照明装置。
【請求項３】
前記電源ケースは、四角筒状であって、前記四角筒の筒壁を構成する平板状の電源ケース側板部分を４つ備え、
前記電源ケースの側面は、前記４つの電源ケース側板部分の外側面から成り、
前記カバー部材は、前記４つの電源ケース側板部分の外側面のうちの少なくとも１つと面接触している
請求項２に記載の照明装置。
【請求項４】
前記カバー部材は、四角筒状であって、前記四角筒の筒壁を構成する平板状のカバー部材側板部分を４つ有し、
前記発光ユニットが前記照明器具に取り付けられた状態において、前記電源ケースは前記カバー部材の四角筒内に位置し、
前記４つのカバー部材側板部分の内側面は、前記４つの電源ケース側板部分の外側面と、それぞれ面接触している
請求項３に記載の照明装置。
【請求項５】
前記カバー部材は、平板状のカバー部材側板部分を３つ有し、
前記発光ユニットが前記照明器具に取り付けられた状態において、前記３つのカバー部材側板部分は、前記４つの電源ケース側板部分の外側面のうちの３つの何れかと、それぞれ面接触している
請求項３に記載の照明装置。
【請求項６】
前記カバー部材は、平板状のカバー部材側板部分を一対有し、
前記発光ユニットが前記照明器具に取り付けられた状態において、前記一対のカバー部材側板部分は、前記４つの電源ケース側板部分の外側面のうちの２つの何れかと、それぞれ面接触している
請求項３に記載の照明装置。
【請求項７】
前記カバー部材の前記一対のカバー部材側板部分は、互いに対向配置され、
前記発光ユニットが前記照明器具に取り付けられた状態において、前記電源ケースは、前記一対のカバー部材側板部分の間に位置し、
前記一対のカバー部材側板部分は、前記４つの電源ケース側板部分の外側面のうちの対向する２つの何れかと、それぞれ面接触している
請求項６に記載の照明装置。
【請求項８】
前記カバー部材は、平板状のカバー部材側板部分を１つ有し、
前記発光ユニットが前記照明器具に取り付けられた状態において、前記カバー部材側板部分は、前記４つの電源ケース側板部分の外側面のうちの何れか１つと面接触している
請求項３に記載の照明装置。
【請求項９】
前記電源ケースは、円筒状であり、
前記カバー部材は、前記電源ケースの側面に対応した湾曲形状を有する内側面を有し、
前記発光ユニットが前記照明器具に取り付けられた状態において、前記カバー部材の前記内側面は、前記電源ケースの前記側面と面接触している
請求項２に記載の照明装置。
【請求項１０】
前記収容凹部の前記内面は、上内面および側内面を有し、
前記カバー部材は、前記収容凹部の前記上内面に固定されている
請求項１から９の何れか１項に記載の照明装置。
【請求項１１】
前記収容凹部は、上内面および側内面を有し、
前記カバー部材は、前記収容凹部の前記側内面に固定されている
請求項１から１０の何れか１項に記載の照明装置。
【請求項１２】
前記カバー部材の下端と前記取付部材の上面とは離間している
請求項１から１１の何れか１項に記載の照明装置。
【請求項１３】
前記発光ユニットおよび前記照明器具は、長尺な形状を有し、
前記半導体発光素子は、長手方向に沿って配列されている
請求項１から１２の何れか１項に記載の照明装置。
【発明の詳細な説明】
【技術分野】
【０００１】
本発明は、照明装置に関し、特に、光源に電力を供給するための電源部の放熱性に関する。
【背景技術】
【０００２】
従来より、光源にＬＥＤ（Ｌｉｇｈｔ  Ｅｍｉｔｔｉｎｇ  Ｄｉｏｄｅ）等の半導体発光素子を用い、天井に取り付けられる天井直付け型の照明装置が提供されている。このような照明装置は、商用交流電力を、ＬＥＤを点灯させるための直流電力に変換する電源部を備えている。光源の出力や機能（例えば調光機能など）が異なると、電源部に要求される性能も異なる。従って、光源を新しいものに取り換える場合、電源部もそれに適したものに一緒に取り換えるのが好ましい。そのため、光源と電源部とが発光ユニットとして一体化され、発光ユニットが照明器具に対して着脱可能な構成を備えた照明装置が考案されている（例えば特許文献１）。
【先行技術文献】
【特許文献】
【０００３】
【特許文献１】特開２０１１−１４２０６３号公報
【発明の概要】
【発明が解決しようとする課題】
【０００４】
特許文献１に開示の照明装置は、本体１０（照明器具）に設けられた板バネ状のホルダの係止片が、ＬＥＤユニット２（発光ユニット）の側面に設けられた係止溝に係合することにより発光ユニットが照明器具に取り付けられる構成となっている。言い換えれば、発光ユニットは、係止片に引掛けられた状態で取り付けられている。
ＬＥＤは温度が高くなると発光効率が低下するため、ＬＥＤを光源に用いた照明装置においては、発光ユニットの放熱性が重要である。特許文献１の構成では、発光ユニットはホルダの係止片に引掛けられた状態で取り付けられている。そのため、ホルダと発光ユニットとの接触面積が小さく、発光ユニットと収容凹部の内面との間に空隙が多く存在しており、発光ユニットから照明器具側へと熱が伝わりにくい。特に、電源部は照明器具の凹部内に収容されているため、熱がこもりやすい。電源部の温度が高くなると、その熱がＬＥＤへと伝わり、ＬＥＤの発光効率低下を引き起こす要因となる。
【０００５】
本発明は、上記問題点に鑑み、電源部の放熱性が向上された照明装置を提供することを目的とする。
【課題を解決するための手段】
【０００６】
上記目的を達成するために、本発明の一態様に係る照明装置は、半導体発光素子と前記半導体発光素子を点灯させるための電力を前記半導体発光素子に供給する電源部とを有する発光ユニットと、前記発光ユニットを保持する照明器具とを有する照明装置である。前記半導体発光素子からの光の主出射方向を下方とした場合に、前記照明器具は、下方に開口した収容凹部と、熱伝導性を有し、前記収容凹部の内面に熱接続状態で固定されたカバー部材とを有する。前記発光ユニットは、前記照明器具の下側に取り付けられて前記収容凹部の前記開口を閉塞する板状の取付部材をさらに有する。前記電源部は、商用電力を前記半導体発光素子点灯用の電力に変換する電源基板と、前記電源部の外郭を構成し、前記電源基板を内部に収容する電源ケースとを有する。前記半導体発光素子は、前記取付部材の下面に固定され、前記電源ケースは、前記取付部材の上面に固定されている。前記発光ユニットが前記照明器具に保持された状態において、前記電源ケースの少なくとも一部は、前記収容凹部内に位置し、前記カバー部材は、前記収容凹部内において前記電源ケースと面接触している。
【０００７】
また、別の態様では、前記電源ケースは、上面および側面を有し、前記カバー部材は、前記電源ケースの側面と面接触し、前記電源ケースの上面と離間していてもよい。
また、別の態様では、前記電源ケースは、四角筒状であって、前記四角筒の筒壁を構成する平板状の電源ケース側板部分を４つ備えてもよい。そして、前記電源ケースの側面は、前記４つの電源ケース側板部分の外側面から成り、前記カバー部材は、前記４つの電源ケース側板部分の外側面のうちの少なくとも１つと面接触していてもよい。
【０００８】
また、別の態様では、前記カバー部材は、四角筒状であって、前記四角筒の筒壁を構成する平板状のカバー部材側板部分を４つ有してもよい。そして、前記発光ユニットが前記照明器具に取り付けられた状態において、前記電源ケースは前記カバー部材の四角筒内に位置し、前記４つのカバー部材側板部分の内側面は、前記４つの電源ケース側板部分の外側面と、それぞれ面接触していてもよい。
【０００９】
また、別の態様では、前記カバー部材は、平板状のカバー部材側板部分を３つ有してもよい。そして、前記発光ユニットが前記照明器具に取り付けられた状態において、前記３つのカバー部材側板部分は、前記４つの電源ケース側板部分の外側面のうちの３つの何れかと、それぞれ面接触していてもよい。
また、別の態様では、前記カバー部材は、平板状のカバー部材側板部分を一対有してもよい。そして、前記発光ユニットが前記照明器具に取り付けられた状態において、前記一対のカバー部材側板部分は、前記４つの電源ケース側板部分の外側面のうちの２つの何れかと、それぞれ面接触していてもよい。
【００１０】
また、別の態様では、前記カバー部材の前記一対のカバー部材側板部分は、互いに対向配置され、前記発光ユニットが前記照明器具に取り付けられた状態において、前記電源ケースは、前記一対のカバー部材側板部分の間に位置してもよい。そして、前記一対のカバー部材側板部分は、前記４つの電源ケース側板部分の外側面のうちの対向する２つの何れかと、それぞれ面接触していてもよい。
【００１１】
また、別の態様では、前記カバー部材は、平板状のカバー部材側板部分を１つ有してもよい。そして、前記発光ユニットが前記照明器具に取り付けられた状態において、前記カバー部材側板部分は、前記４つの電源ケース側板部分の外側面のうちの何れか１つと面接触していてもよい。
また、別の態様では、前記電源ケースは、円筒状であり、前記カバー部材は、前記電源ケースの側面に対応した湾曲形状を有する内側面を有してもよい。そして、前記発光ユニットが前記照明器具に取り付けられた状態において、前記カバー部材の前記内側面は、前記電源ケースの前記側面と面接触していてもよい。
【００１２】
また、別の態様では、前記収容凹部の前記内面は、上内面および側内面を有し、前記カバー部材は、前記収容凹部の前記上内面に固定されていてもよい。
また、別の態様では、前記収容凹部は、上内面および側内面を有し、前記カバー部材は、前記収容凹部の前記側内面に固定されていてもよい。
また、別の態様では、前記カバー部材の下端と前記取付部材の上面とは離間していてもよい。
【００１３】
また、別の態様では、前記発光ユニットおよび前記照明器具は、長尺な形状を有し、前記半導体発光素子は、長手方向に沿って配列されていてもよい。
【発明の効果】
【００１４】
本発明の一態様に係る照明装置の構成によれば、電源部とカバー部材とが面接触しているため、電源部からカバー部材へと熱が伝わりやすい。また、カバー部材は熱伝導性を有し、照明器具の収容凹部の内面と熱接続状態で固定されているため、電源部からカバー部材へと伝わった熱がさらに照明器具のその他の部分へと伝わり、そこから天井等へと放熱される。これにより、電源部の放熱性を向上させて、電源部の過度の温度上昇を抑制することができる。
【図面の簡単な説明】
【００１５】
【図１】（ａ）は、実施形態１に係る照明装置１０の斜め下方から見た外観斜視図である。（ｂ）は、照明器具と発光ユニットとが分離された状態の照明装置１０を示す斜視図である。（ｃ）は、実施形態１に係る発光ユニットの斜め上方から見た斜視図である。
【図２】照明装置１０の分解斜視図である。
【図３】照明装置１０の断面図である。
【図４】実施形態２に係る照明装置１０００において、照明器具と発光ユニットとが分離され、さらに照明器具の器具本体とカバー部材とが分離された状態を示す斜視図である。
【図５】照明装置１０００において、照明器具に発光ユニットが取り付けられる様子を示す断面図である。（ａ）は、照明器具の係合孔に発光ユニットの係合爪が挿入された状態を示す断面図である。（ｂ）は、電源部の一部が照明器具の収容凹部内に収容された状態を示す断面図である。（ｃ）は、発光ユニットの照明器具への取り付けが完了した状態を示す断面図である。
【図６】（ａ）は、照明器具と発光ユニットとが分離され、さらに器具本体とカバー部材とが分離された状態の変形例１に係る照明装置２０００を示す斜視図である。（ｂ）は、照明器具と発光ユニットとが分離され、さらに器具本体とカバー部材とが分離された状態の変形例２に係る照明装置３０００を示す斜視図である。
【図７】（ａ）は、照明器具と発光ユニットとが分離され、さらに器具本体とカバー部材とが分離された状態の変形例３に係る照明装置４０００を示す斜視図である。（ｂ）は、照明器具と発光ユニットとが分離され、さらに器具本体とカバー部材とが分離された状態の変形例４に係る照明装置５０００を示す斜視図である。
【図８】変形例５に係る照明装置６０００において、照明器具に発光ユニットが取り付けられる様子を示す断面図である。（ａ）は、照明器具に発光ユニットが取り付けられる前の状態を示す断面図である。（ｂ）は、照明器具に発光ユニットが取り付けられる途中の状態を示す断面図である。（ｃ）は、照明器具への発光ユニットの取り付けが完了した状態を示す断面図である。
【図９】（ａ）は、照明器具と発光ユニットとが分離され、さらに器具本体とカバー部材とが分離された状態の変形例６に係る照明装置７０００を示す斜視図である。（ｂ）は、照明装置７０００の断面図である。
【図１０】（ａ）は、照明器具と発光ユニットとが分離され、さらに器具本体とカバー部材とが分離された状態の変形例７に係る照明装置８０００を示す斜視図である。（ｂ）は、照明装置８０００の断面図である。
【図１１】（ａ）は、照明器具と発光ユニットとが分離され、さらに器具本体とカバー部材とが分離された状態の変形例８に係る照明装置９０００を示す斜視図である。（ｂ）は、照明装置９０００の断面図である。
【図１２】（ａ）は、照明器具と発光ユニットとが分離され、さらに器具本体とカバー部材とが分離された状態の変形例９に係る照明装置１００００を示す斜視図である。（ｂ）は、変形例９に係る発光ユニットおよびカバー部材を斜め上方から見た斜視図である。（ｃ）は、照明装置１００００の断面図である。
【図１３】（ａ）は、照明器具と発光ユニットとが分離され、さらに器具本体とカバー部材とが分離された状態の変形例１０に係る照明装置１１０００を示す斜視図である。（ｂ）は、変形例１０に係る発光ユニットおよびカバー部材を斜め上方から見た斜視図である。（ｃ）は、照明装置１１０００の断面図である。
【発明を実施するための形態】
【００１６】
以下、本発明を実施するための形態を、図面を参照して詳細に説明する。なお、各図は、模式図であり、図面に示された部品等の各構成要素の形状や寸法および比等については、必ずしも厳密に図示したものではない。
≪実施形態１≫
［１．全体構成］
図１（ａ）は、実施形態１に係る照明装置１０を斜め下方から見た斜視図である。図１（ｂ）は、照明装置１０の照明器具１００から発光ユニット２００が取り外された状態を斜め下方から見た斜視図である。図１（ｃ）は、発光ユニット２００を斜め上方から見た斜視図である。図２は、照明装置１０の分解斜視図である。なお、図１（ａ），（ｂ），（ｃ）および図２において、Ｚ方向を上とし、Ｚ方向と反対方向（以下、「−Ｚ方向」という。）を下とする。照明装置１０においては、光の主出射方向は下方（−Ｚ方向）である。
【００１７】
照明装置１０は、例えば、一般家屋やビルの天井などに取り付けられる、所謂ダウンライトである。照明装置１０は、長尺な形状を有し、所謂直管形蛍光灯の代替用途に用いられる。
図１（ａ）および図１（ｂ）に示すように、照明装置１０は、照明器具１００と、発光ユニット２００とで構成されている。発光ユニット２００は、光源としてのＬＥＤ２１２ｂ（図２参照）を有し、照明器具１００の下側部分に取り付けられる。照明器具１００は、天井等に取り付けられ、発光ユニット２００を着脱可能に保持する。照明器具１００は、主な構成要素として、器具本体１１０およびカバー部材１２０等を有する。図１（ｂ）および図１（ｃ）に示すように、発光ユニット２００は、主な構成要素として、光源部２１０、電源部２２０、端子台ブロック２３０等を有する。
【００１８】
図２に示すように、光源部２１０は、主な構成要素として取付部材２１１、ＬＥＤ基板２１２、フロントカバー２１３等を有する。
［２．各部構成］
（１）光源部
ＬＥＤ基板２１２は、主な構成要素として、プリント基板２１２ａ、ＬＥＤ２１２ｂ、および、コネクタ２１２ｃ，コネクタ２１２ｄ等を有する。プリント基板２１２ａは、ポリイミド等の絶縁性の材料から成る平面視矩形状で長尺な板状の部材であり、その下面上に長手方向に沿って複数のＬＥＤ２１２ｂが配列されている。プリント基板２１２ａの長手方向における両端には、ＬＥＤ２１２ｂと電源部２２０とを電気的に接続するためのコネクタ２１２ｃ，コネクタ２１２ｄがそれぞれ配置されている。なお、図２においては図示していないが、プリント基板２１２ａ上には、各ＬＥＤ２１２ｂを電気的に接続するプリント配線が形成されている。
【００１９】
取付部材２１１は、板金に曲げ加工を施して断面がＵ字状に形成された長尺な部材である。Ｕ字の底に相当する部分には、その中央部分が上方に凹入して平坦な底面部（下面）２１１ａが形成されている。Ｕ字の両側辺に相当する部分は、側面部２１１ｂとなっている。底面部２１１ａは、長手方向に長尺な平面視矩形の平面であり、ＬＥＤ基板２１２が取り付けられる領域である。底面部２１１ａの長手方向における両端部には、配線を通すための貫通孔である配線用孔２１１ｃがそれぞれ１つずつ形成されている。本実施形態においては、底面部２１１ａには、２個のＬＥＤ基板２１２が直列に取り付けられ、コネクタ２１２ｄ同士が配線で電気的に接続されることにより、２個のＬＥＤ基板２１２が互いに電気的に接続される。底面部２１１ａの長手方向における中央部には、底面部２１１ａの一部を上方に凹入させることにより形成された平面視矩形の凹部２１１ｄが設けられている。この凹部２１１ｄは、両ＬＥＤ基板２１２を取付部材２１１に取り付けた状態で、コネクタ２１２ｄと取付部材２１１の底面部２１１ａとの間の絶縁距離を確保するためのものである。
【００２０】
フロントカバー２１３は、両端が閉口した円筒を筒軸に沿って２つに切断した一方のような形状を有し、ＬＥＤ基板２１２が取り付けられた取付部材２１１の下側を覆う。円筒の筒壁（が半分に切断されたもの）に相当する部分であるフロントカバー本体２１３ａは、透光性を有する材料から成り、光拡散処理が施されている。透光性を有する材料としては、アクリル樹脂等の樹脂や、ガラス等が用いられる。光拡散処理としては、表面に微細な凹凸を無数に形成するフロスト加工を施す方法や、シリカ等の光を拡散させる微粒子を樹脂やガラスに混入させる方法等が挙げられる。円筒の筒底（が半分に切断されたもの）に相当する部分である端部２１３ｂは、半円板状の部材であり、透光性を有する材料によりフロントカバー本体２１３ａと一体的に形成されている。なお、端部２１３ｂは、必ずしも透光性を有する材料から形成されていなくてもよい。端部２１３ｂが透光性を有しない材料から形成される場合には、フロントカバー本体２１３ａとは別部材として形成された後、フロントカバー本体２１３ａの長手方向における両端にそれぞれ取り付けられてもよい。
【００２１】
（２）電源部
電源部２２０は、外部から受電した商用交流電力を変換してＬＥＤ２１２ｂ点灯用の直流電力を生成し、ＬＥＤ２１２ｂに供給するためのものであり、取付部材２１１の上面２１１ｅ上に固定されている。電源部２２０は、主な構成要素として、電源基板２２１、電源基板２２１を内部に収容する電源ケース２２２、および、電源基板２２１と電源ケース２２２との間の電気的絶縁を確保するための絶縁シート２２３を有する。
【００２２】
電源基板２２１は、主な構成要素として、平面視矩形の板状部材であるプリント基板２２１ａと、プリント基板２２１ａ上に実装された各種電子部品２２１ｂとを有する。
電子部品２２１ｂには、ＬＥＤ２１２ｂ点灯用の直流電力を生成するために必要な部品（例えば、トランス、ダイオード、コンデンサ等）が含まれる。なお、図２においては、電子部品２２１ｂの一部にのみ符号を付している。また、図２においては図示していないが、プリント基板２２１ａ上には、各電子部品２２１ｂを電気的に接続し、作動させるためのプリント配線や、配線２が接続される端子等が形成されている。
【００２３】
電源ケース２２２は、良好な熱伝導性を有する材料から形成され、全体形状として、下端が開口し上端が閉口した四角筒状の部材である。電源ケース２２２は、四角筒の上側の底に相当する電源ケース上板部分２２２ａ、短手方向の筒壁に相当する一対の電源ケース側板部分２２２ｂ、長手方向の筒壁に相当する一対の電源ケース側板部分２２２ｃを有する。一対の電源ケース側板部分２２２ｃには、配線２を通すための配線用切り欠き２２２ｃ２がそれぞれ形成されている。電源ケース２２２が形成される良好な熱伝導性を有する材料としては、例えば、アルミやステンレス等の金属、熱伝導性樹脂等を用いることができる。
【００２４】
絶縁シート２２３は、樹脂等の電気絶縁性の材料から成るシート状の部材であり、電源基板２２１と電源ケース２２２との間に配置され、双方の間の電気的絶縁を確保する。絶縁シート２２３の両面には接着剤または粘着剤が塗布されており、絶縁シート２２３により、電源基板２２１のプリント基板２２１ａが電源ケース２２２の内上面２２２ａ２に固定される。なお、電源ケース２２２が、樹脂等の電気絶縁性の材料から形成される場合には、絶縁シート２２３を備えない構成としてもよい。その場合には、係合構造やネジ留め等により電源基板２２１が電源ケース２２２内部に固定されるようにしてもよい。
【００２５】
電源基板２２１が内部に固定された状態で、電源ケース２２２は、ネジ留めや接着剤等を用いて取付部材２１１の上面２１１ｅに固定される。
（３）端子台ブロック
端子台ブロック２３０は、取付部材２１１の上面２１１ｅに配置され、主な構成要素として、端子台２３１および取付金具２３２を有する。端子台２３１は、天井裏から天井材１（図３参照）を通して室内側（下側）へと導出された配線（不図示）が接続される。また、電源部２２０から導出された配線２が接続される。これにより、電源部２２０および端子台ブロック２３０を介して、ＬＥＤ２１２ｂが天井裏の配線と電気的に接続される。端子台２３１は、取付金具２３２により取付部材２１１の上面２１１ｅに固定される。端子台２３１および取付金具２３２の取付部材２１１の上面２１１ｅへの固定は、係合構造やネジ留め、接着剤等を用いて行われる。端子台２３１が取り付けられた取付金具２３２が、取付部材２１１に固定されてもよい。また、取付金具２３２が端子台２３１の一部を押さえつけるように取付部材２１１に取り付けられることにより、端子台２３１が取付部材２１１に固定されてもよい。
【００２６】
（４）器具本体
器具本体１１０は、板金に曲げ加工を施すことにより形成されており、所謂直管形蛍光灯が取り付けられる照明器具に類似した長尺な形状を有する。器具本体１１０の下側（天井材に取り付けられる側とは反対側）の部分には、発光ユニット２００が取り付けられる。即ち、発光ユニット２００は器具本体１１０によりその下側に保持される。
【００２７】
器具本体１１０の下側部分には、長手方向（図１（ａ），図１（ｂ），図２において、Ｘ軸方向）の略全幅に亘って下方に開口した（上方に凹入した）長尺な凹部である収容凹部１１１が形成されている。発光ユニット２００が照明器具１００に取り付けられた状態において、電源ケース２２２の少なくとも一部は、収容凹部１１１内に位置しており、収容凹部１１１の開口は、取付部材２１１により閉塞されている。収容凹部１１１の短手方向（図１（ａ），図１（ｂ），図２において、Ｙ軸方向）における両側には、収容凹部１１１から離れるにつれて上方に近づく方向に傾斜する傾斜面１１２が形成されている。器具本体１１０の長手方向における両端には、エンドキャップ１１３がそれぞれ取り付けられており、これにより、器具本体１１０の形状が保持される。
【００２８】
収容凹部１１１の凹入面である内面１１１ａは、水平方向（上下方向に直交する方向であり、図１各図および図２におけるＸＹ平面に沿った方向）に平坦な上内面１１１ａ１と、上下方向に平坦な側内面１１１ａ２とを有する。上内面１１１ａ１には、天井裏からの配線を通すための貫通孔である配線用孔１１４が複数個（実施形態１においては、３個）形成されている。また、上内面１１１ａ１には、照明装置１０を天井材等に固定するための固定具（例えば、吊りボルト等）を通すための貫通孔である固定用孔１１５が複数個（実施形態１においては、２個）形成されている。
【００２９】
（５）カバー部材
カバー部材１２０は、全体形状としては、下端が開口し上端が閉口した有底四角筒状の形状を有し、良好な熱伝導性を有する材料により形成されている。カバー部材１２０が形成される熱伝導性の材料としては、例えば、金属や熱伝導性樹脂等が挙げられる。金属としては、例えば、アルミやステンレス等を用いることができる。カバー部材１２０は、四角筒の上側の底に相当するカバー部材上板部分１２１、短手方向の筒壁に相当する一対のカバー部材側板部分１２２、長手方向の筒壁に相当する一対のカバー部材側板部分１２３を有する。
【００３０】
カバー部材１２０は、その全体が収容凹部１１１内に収容された状態で、収容凹部１１１の上内面１１１ａ１に固定されている。より具体的には、カバー部材１２０のカバー部材上板部分１２１の外上面１２１ｂが、収容凹部１１１の上内面１１１ａ１に接触した状態でネジ留め等により固定されている。なお、熱伝導性の接着剤を用いてカバー部材１２０が上内面１１１ａ１に固定されていてもよい。即ち、カバー部材１２０が、収容凹部１１１の上内面１１１ａ１に熱的に接続された状態で固定されていればよい。以下、カバー部材の収容凹部の内面への固定については、実施形態２および各変形例においても同様である。
【００３１】
カバー部材１２０のカバー部材側板部分１２２，１２３と、電源ケース２２２の電源ケース側板部分２２２ｂ，２２２ｃとは、それぞれ上下方向に沿って配置されている。そして、カバー部材１２０の四角筒の内側のサイズは、電源ケース２２２のサイズに対応している。即ち、カバー部材１２０の四角筒の内部に電源ケース２２２がちょうど入るように、カバー部材側板部分１２２およびカバー部材側板部分１２３の長手方向および短手方向の長さが規定されている。また、カバー部材１２０と電源部２２０とは互いに対応した位置に配置されている。即ち、発光ユニット２００が照明器具１００に取り付けられた状態において、電源部２２０は、カバー部材１２０の筒内にちょうど嵌った状態となっている（図３参照）。
【００３２】
なお、カバー部材１２０のカバー部材側板部分１２３には、電源ケース２２２の配線用切り欠き２２２ｃ２に対応した位置に、配線用切り欠き１２３ｂが形成されている。これにより、カバー部材１２０に電源部２２０が嵌った状態においても、配線用切り欠き２２２ｃ２および配線用切り欠き１２３ｂを通って配線２を導出することができる。
［３．電源部からの放熱性］
図３は、図１のＡ−Ａ直線による照明装置１０の矢視断面図である。図３に示すように、発光ユニット２００が照明器具１００に取り付けられた状態において、電源ケース２２２の電源ケース側板部分２２２ｂの外側面２２２ｂ１は、カバー部材１２０のカバー部材側板部分１２２の内側面１２２ａと面接触している。また、図３の断面図には表れていないが、電源部２２０はカバー部材１２０の筒内にちょうど嵌っており、電源ケース２２２の電源ケース側板部分２２２ｃの外側面２２２ｃ１は、カバー部材１２０のカバー部材側板部分１２３の内側面１２３ａと面接触している。即ち、実施形態１に係る照明装置１０においては、カバー部材１２０の４つの内側面（それぞれ一対の内側面１２２ａ，１２３ａ）が、電源部２２０の電源ケース２２２の４つの外側面（それぞれ一対の外側面２２２ｂ１，２２２ｃ１）とそれぞれ面接触している。これにより、電源部２２０（より正確には、電子部品２２１ｂ）において発生した熱が、電源ケース２２２からカバー部材１２０へと伝わりやすいため、電源部２２０の放熱性が向上し、電源部２２０の過度の温度上昇を抑制することができる。
【００３３】
また、図３に示すように、電源ケース２２２の電源ケース上板部分２２２ａの外上面２２２ａ１とカバー部材１２０のカバー部材上板部分１２１の内上面１２１ａとの間には空間が設けられており、外上面２２２ａ１と内上面１２１ａとは接触していない。これにより、例えば、路線沿線の住宅など、日常的に地盤の振動の影響を受ける建物において照明装置１０が使用された場合に、次のような効果が得られる。即ち、電車通過の際の地盤の振動等に伴って建物が振動し、照明装置１０が振動した場合に、電源ケース２２２の外上面２２２ａ１とカバー部材１２０の内上面１２１ａとがぶつかることによる不快な衝突音の発生を防止することができる。
【００３４】
さらに、カバー部材１２０のカバー部材側板部分１２２および１２３の下端（図３には、カバー部材側板部分１２２の下端１２２ｃのみが示されている。）は、取付部材２１１の上面２１１ｅに接触しておらず、双方が離間している。これによっても上記と同様に、カバー部材側板部分１２２および１２３の下端と取付部材２１１の上面２１１ｅとが振動によって衝突して生じる不快な衝突音を防止することができる。
【００３５】
なお、発光ユニット２００の照明器具１００への取り付けは、特に限定されないが、例えば、ネジ留め、係合構造、接着剤等を用いて行われる。発光ユニット２００が照明器具１００に取り付けられることにより、収容凹部１１１の開口が、取付部材２１１により閉口される。
［４．実施形態１のまとめ］
以上説明したように、本発明の一態様である実施形態１に係る照明装置１０は、以下のようにまとめることができる。即ち、本発明の一態様である実施形態１に係る照明装置１０は、発光ユニット２００と、発光ユニット２００を保持する照明器具１００と、を有する照明装置１０である。発光ユニット２００は、半導体発光素子（ＬＥＤ）２１２ｂと半導体発光素子２１２ｂを点灯させるための電力を半導体発光素子２１２ｂに供給する電源部２２０とを有する。半導体発光素子２１２ｂからの光の主出射方向を下方とした場合に、照明器具１００は、下方に開口した収容凹部１１１と、熱伝導性を有し、収容凹部１１１の内面１１１ａに熱接続状態で固定されたカバー部材１２０と、を有する。発光ユニット２００は、照明器具１００の下側に取り付けられて収容凹部１１１の開口を閉塞する板状の取付部材２１１をさらに有する。電源部２２０は、商用電力を半導体発光素子２１２ｂ点灯用の電力に変換する電源基板２２１と、電源部２２０の外郭を構成し、電源基板２２１を内部に収容する電源ケース２２２とを有する。半導体発光素子２１２ｂは、取付部材２１１の下面（底面部）２１１ａに固定され、電源ケース２２２は、取付部材２１１の上面２１１ｅに固定されている。発光ユニット２００が照明器具１００に保持された状態において、電源ケース２２２の少なくとも一部は、収容凹部１１１内に位置し、カバー部材１２０は、収容凹部１１１内において電源ケース２２２と面接触している。
【００３６】
電源ケース２２２とカバー部材１２０とが面接触しているため、電源部２２０の電源基板２２１で発生した熱が電源ケース２２２からカバー部材１２０へと熱が伝わりやすい。そして、カバー部材１２０は、熱伝導性を有し、収容凹部１１１の内面１１１ａ上に熱接続状態で固定されているため、電源ケース２２２からカバー部材１２０へと伝わった熱がさらに器具本体１１０へと伝わり、そこから天井材１等へと放熱される。これにより、電源部２２０の放熱性を向上させて、電源部２２０の過度の温度上昇を抑制することができる。そして、電源部２２０において発生した熱がＬＥＤ２１２ｂに及ぼす影響を低減することができる。
【００３７】
なお、本実施形態に係る照明装置１０においては、必ずしも電源部２２０の電源ケース２２２の側面全体（電源ケース側板部分の外側面全体）がカバー部材１２０と面接触している場合に限られない。例えば、図３に示すように、照明装置１０においては、電源ケース２２２の外上面２２２ａ１とカバー部材１２０の内上面１２１ａとの間や、カバー部材１２０の側板部分の下端と取付部材２１１の上面２１１ｅとの間には空隙が設けられている。（図３においては、カバー部材側板部分１２２の下端１２２ｃのみが示されている。）このため、上記空隙が設けられている部分は、面接触していない。一方、上記の空隙を大きくしていくと、やがて面接触の面積が非常に小さくなり線接触に近くなる。そこで、ここでは、最大限面接触した場合の面積の３０％以上の面積において面接触していれば、十分な熱伝導性を確保することができると考え、面接触しているとして扱う。以下、実施形態２および各変形例においても同様とする。
【００３８】
≪実施形態２≫
実施形態１においては、電源ケース２２２の４側面がカバー部材１２０と面接触する構成について説明した。しかし、これに限られない。
例えば、発光ユニットの照明器具への取り付け方法によっては、電源カバーの４側面全部がカバー部材と面接触するのが困難な場合が考えられる。
【００３９】
図４は、実施形態２に係る照明装置１０００において、照明器具１１００と発光ユニット１２００とを分離し、さらにカバー部材１１２０を器具本体１１１０から取り外した状態を示す斜視図である。同図に示すように、発光ユニット１２００は、取付部材１２１１の長手方向に沿った一方の側縁部１２１１ｄに、係合爪１２４０を複数個（実施形態２においては、３個）有している。そして、器具本体１１１０は、収容凹部１１１１の内面１１１１ａの側内面１１１１ａ２には、複数の係合爪１２４０それぞれに対応した位置に貫通孔である係合孔１１１６を有している。
【００４０】
カバー部材１１２０は、外上面１１２１ｂが収容凹部１１１１の上内面１１１１ａ１に固定された場合に、係合孔１１１６と同じ側のカバー部材側板部分１１２２のみを有し、係合孔１１１６と反対側のカバー部材側板部分を備えていない。上記の点において、実施形態１に係るカバー部材１２０と異なっていることを除いては、カバー部材１１２０は、基本的な構成は、カバー部材１２０と同じであり、カバー部材上板部分１１２１および一対のカバー部材側板部分１１２３を有する。カバー部材側板部分１１２３は、配線用切り欠き１１２３ｂをそれぞれ有する。カバー部材１１２０は、アルミ、ステンレス等の金属や熱伝導性樹脂といった良好な熱伝導性を有する材料から形成されており、器具本体１１１０の収容凹部１１１１の上内面１１１１ａ１に熱的に接続された状態で固定されている。
【００４１】
器具本体１１１０は、係合孔１１１６を有する点において実施形態１に係る器具本体１１０と異なっている以外は、基本的な構成は器具本体１１０と同じである。
照明器具１１００は、主な構成要素として、器具本体１１１０およびカバー部材１１２０を有する。
取付部材１２１１は、側縁部１２１１ｄに係合爪１２４０を有する点を除いては、基本的な構成は、実施形態１に係る取付部材２１１と同じである。光源部１２１０は、主な構成要素として、取付部材１２１１、ＬＥＤ基板２１２、フロントカバー２１３等を有する。発光ユニット１２００は、主な構成要素として、光源部１２１０、電源部２２０、および端子台ブロック２３０を有する。なお、図４および図５（ａ），（ｂ），（ｃ）においては、図示を簡略化するために、取付部材１２１１およびフロントカバー２１３の上側を平坦な面として表している。
【００４２】
図５（ａ），（ｂ），（ｃ）は、照明器具１１００に発光ユニット１２００が取り付けられる様子を示す断面図である。図５（ａ）は、照明器具１１００の係合孔１１１６に係合爪１２４０が挿入された状態を示す断面図である。図５（ｂ）は、電源部２２０の一部が照明器具１１００の収容凹部１１１１内に収容された状態を示す断面図である。図５（ｃ）は、発光ユニット１２００の照明器具１１００への取り付けが完了した状態を示す断面図である。なお、図５（ａ），（ｂ），（ｃ）においては、電源部２２０を一塊の部材としてその断面を図示し、内部の具体的な構成については省略している。そのため、電源ケース２２２については、図示されていないが、塊としての電源部の上面および側面については、電源ケースの外上面および外側面としてそれぞれ符号を付している。以下、各変形例においても、電源部の断面の図示および電源部の側面の符号表記については同様とする。
【００４３】
図５（ａ），（ｂ），（ｃ）に示すように、本実施形態に係る照明装置においては、係合爪１２４０および係合孔１１１６を中心に発光ユニット１２００を回転させて発光ユニット１２００が照明器具１１００に取り付けられる。このとき、カバー部材１１２０が、係合孔１１１６と反対側（係合孔１１１６から遠い側）の側板部分を有していないため、発光ユニット１２００を回転させる際に、電源部２２０がカバー部材１１２０にぶつからない。そして、発光ユニット１２００の照明器具１１００への取り付けが完了時には、図５（ｃ）に示すように、電源部２２０（より正確には、電源部２２０の電源ケース２２２）は、カバー部材１１２０のカバー部材側板部分１１２２の内側面１１２２ａ、および一対のカバー部材側板部分１１２３の内側面１１２３ａと面接触している。即ち、電源部２２０の３つの側面とカバー部材１１２０とは面接触している。即ち、実施形態２に係る照明装置１０００においては、カバー部材１１２０の３つの内側面（内側面１１２２ａおよび一対の内側面１１２３ａ）が、電源部２２０の電源ケース２２２と面接触している。
【００４４】
実施形態２に係る照明装置１０００の構成によっても、電源部２２０とカバー部材１１２０とが面接触しているため、電源部２２０において発生した熱がカバー部材１１２０へと伝わりやすい。そして、カバー部材１１２０は熱伝導性を有し、収容凹部１１１１の内面１１１１ａ上に熱接続状態で固定されているため、電源部２２０からカバー部材１１２０へと伝わった熱がさらに器具本体１１１０へと伝わり、そこから天井材１等へと放熱される。これにより、電源部２２０の放熱性を向上させて、電源部２２０の過度の温度上昇を抑制することができる。そして、電源部２２０において発生した熱がＬＥＤ２１２ｂに及ぼす影響を低減することができる。
【００４５】
なお、発光ユニット１２００において、係合爪１２４０とは反対側の照明器具１１００への固定については、特に限定されないが、ネジ留め、係合構造、接着剤等を用いることができる。
また、本実施形態における照明装置１０００においても、電源部２２０の外上面２２２ａ１とカバー部材１１２０の内上面１１２１ａとは、接触しておらず、双方の間には空隙が存在する。そして、カバー部材１１２０のカバー部材側板部分１１２２の下端１１２２ｃおよびカバー部材側板部分１１２３の下端１１２３ｃは、取付部材１２１１の上面１２１１ｅには接触しておらず、双方が離間している。これにより、実施形態１の場合と同様に、実施形態２に係る照明装置１０００の構成においても、振動による外上面２２２ａ１と内上面１１２１ａとの衝突音および、下端１１２２ｃ，１１２３ｃと上面１２１１ｅとの衝突音の発生を防止することができる。
【００４６】
本実施形態においては、係合孔１１１６は貫通孔であったが、これに限られず、例えば、凹部であってもよい。また、係合爪と係合孔（または係合凹部）による係合構造に限られず、軸と軸受を備えた構成でもよい。要するに、ヒンジ機能を果たすことができれば、係合構造の形態については、特に限定されない。
≪変形例≫
以上、本発明の構成を、実施形態１および２に基づいて説明したが、本発明は上記各実施形態に限られない。例えば、以下のような変形例を実施することができる。
【００４７】
（変形例１）
実施形態１においては、電源ケース２２２の４つの外側面がカバー部材１２０と面接触する構成について説明した。また、実施形態２においては、電源ケース２２２の３つの側面がカバー部材１１２０と面接触する構成について説明した。しかし、これらに限られない。カバー部材と面接触する電源ケース２２２の側面が２つであってもよい。
【００４８】
図６（ａ）は、変形例１に係る照明装置２０００において、照明器具２１００と発光ユニット２００とを分離し、さらにカバー部材２１２０を器具本体１１０から取り外した状態を示す斜視図である。同図に示すように、変形例１に係るカバー部材２１２０は、カバー部材上板部分２１２１および一対のカバー部材側板部分２１２２のみを備えている。即ち、カバー部材２１２０は、実施形態１に係るカバー部材１２０から両カバー部材側板部分１２３を欠いた構成となっている。カバー部材２１２０も、カバー部材１２０および１１２０と同様に、アルミ、ステンレス等の金属や熱伝導性樹脂といった良好な熱伝導性を有する材料から形成されている。そして、カバー部材２１２０は、器具本体１１０の収容凹部１１１の上内面１１１ａ１に熱的に接続された状態で固定されている。照明器具２１００は、主な構成要素として器具本体１１０およびカバー部材２１２０を有する。
【００４９】
発光ユニット２００が照明器具２１００に取り付けられた状態において、電源部２２０の長手方向に沿った２つの側面（より正確には、電源ケース２２２の長手方向に沿った２つの外側面２２２ｂ１）がカバー部材２１２０の一対のカバー部材側板部分２１２２の内側面２１２２ａとそれぞれ面接触している。従って、変形例１に係る照明装置２０００に構成によっても、電源部２２０において発生した熱がカバー部材２１２０へと伝わりやすい。そして、カバー部材２１２０は熱伝導性を有し、収容凹部１１１の内面１１１ａ上に熱接続状態で固定されているため、電源部２２０からカバー部材２１２０へと伝わった熱がさらに器具本体１１０へと伝わり、そこから天井材１等へと放熱される。これにより、電源部２２０の放熱性を向上させて、電源部２２０の過度の温度上昇を抑制することができる。そして、電源部２２０において発生した熱がＬＥＤ２１２ｂに及ぼす影響を低減することができる。
【００５０】
（変形例２）
変形例１においては、カバー部材２１２０が、長手方向に沿った一対のカバー部材側板部分２１２２を有する構成について説明したが、これに限られない。
図６（ｂ）は、変形例２に係る照明装置３０００において、照明器具３１００と発光ユニット２００とを分離し、さらにカバー部材３１２０を器具本体１１０から取り外した状態を示す斜視図である。同図に示すように、変形例２に係るカバー部材３１２０は、カバー部材上板部分３１２１および一対のカバー部材側板部分３１２３のみを備えている。即ち、カバー部材３１２０は、実施形態１に係るカバー部材１２０から両カバー部材側板部分１２２を欠いた構成となっている。カバー部材３１２０も、カバー部材１２０，１１２０，２１２０と同様に、アルミ、ステンレス等の金属や熱伝導性樹脂といった良好な熱伝導性を有する材料から形成されている。カバー部材側板部分３１２３は、配線用切り欠き３１２３ｂをそれぞれ有する。そして、カバー部材３１２０は、器具本体１１０の収容凹部１１１の上内面１１１ａ１に熱的に接続された状態で固定されている。照明器具３１００は、主な構成要素として器具本体１１０およびカバー部材３１２０を有する。
【００５１】
発光ユニット２００が照明器具３１００に取り付けられた状態において、電源部２２０の短手方向に沿った２つの側面（電源ケース２２２の外側面２２２ｃ１）がカバー部材３１２０のカバー部材側板部分３１２３と面接触している。従って、変形例２に係る照明装置３０００の構成によっても、電源部２２０において発生した熱がカバー部材３１２０へと伝わりやすい。そして、カバー部材３１２０は熱伝導性を有し、収容凹部１１１の内面１１１ａ上に熱接続状態で固定されているため、電源部２２０からカバー部材３１２０へと伝わった熱がさらに器具本体１１０へと伝わり、そこから天井材１等へと放熱される。これにより、電源部２２０の放熱性を向上させて、電源部２２０の過度の温度上昇を抑制することができる。そして、電源部２２０において発生した熱がＬＥＤ２１２ｂに及ぼす影響を低減することができる。
【００５２】
（変形例３）
変形例１および変形例２においては、電源ケース２２２（電源部２２０）の対向する２側面がカバー部材と面接触する構成であった。しかしながら、これに限られない。
図７（ａ）は、変形例３に係る照明装置４０００において、照明器具４１００と発光ユニット２００とを分離し、さらにカバー部材４１２０を器具本体１１０から取り外した状態を示す斜視図である。同図に示すように、変形例３に係るカバー部材４１２０は、カバー部材上板部分４１２１およびカバー部材側板部分４１２２、４１２３をそれぞれ１つずつ有する。即ち、カバー部材４１２０は、実施形態１に係るカバー部材１２０からカバー部材側板部分１２２，１２３をそれぞれ１つずつ欠いた構成となっている。カバー部材４１２０も、カバー部材１２０，１１２０，２１２０，３１２０と同様に、アルミ、ステンレス等の金属や熱伝導性樹脂といった良好な熱伝導性を有する材料から形成されている。カバー部材側板部分４１２３は、配線用切り欠き４１２３ｂを有する。そして、カバー部材４１２０は、器具本体１１０の収容凹部１１１の上内面１１１ａ１に熱的に接続された状態で固定されている。照明器具４１００は、主な構成要素として器具本体１１０およびカバー部材４１２０を有する。
【００５３】
発光ユニット２００が照明器具４１００に取り付けられた状態において、電源部２２０の短手方向に沿った側面（電源ケース２２２の外側面２２２ｃ１）の一方と、長手方向に沿った側面（電源ケース２２２の外側面２２２ｂ１）の一方が、カバー部材４１２０のカバー部材側板部分４１２３および４１２２とそれぞれ面接触している。従って、変形例３に係る照明装置４０００の構成によっても、電源部２２０において発生した熱がカバー部材４１２０へと伝わりやすい。そして、カバー部材４１２０は熱伝導性を有し、収容凹部１１１の内面１１１ａ上に熱接続状態で固定されているため、電源部２２０からカバー部材４１２０へと伝わった熱がさらに器具本体１１０へと伝わり、そこから天井材１等へと放熱される。これにより、電源部２２０の放熱性を向上させて、電源部２２０の過度の温度上昇を抑制することができる。そして、電源部２２０において発生した熱がＬＥＤ２１２ｂに及ぼす影響を低減することができる。
【００５４】
また、カバー部材４１２０が有するカバー部材側板部分４１２２，４１２３は、必ずしも図７（ａ）に示す側でなくてもよい。図７（ａ）に示す側とは反対側のカバー部材側板部分４１２２，４１２３のみを備えていてもよい。
（変形例４）
さらには、カバー部材と面接触する電源ケースの側面は複数個に限られず、１つの側面のみがカバー部材と面接触してもよい。
【００５５】
図７（ｂ）は、変形例４に係る照明装置５０００において、照明器具５１００と発光ユニット２００とを分離し、さらにカバー部材５１２０を器具本体１１０から取り外した状態を示す斜視図である。同図に示すように、変形例３に係るカバー部材５１２０は、カバー部材上板部分５１２１およびカバー部材側板部分５１２２を１つのみ有する。即ち、カバー部材５１２０は、実施形態１に係るカバー部材１２０からカバー部材側板部分１２２の一方および両方のカバー部材側板部分１２３を欠いた構成となっている。カバー部材５１２０も、カバー部材１２０，１１２０，２１２０，３１２０，４１２０と同様に、アルミ、ステンレス等の金属や熱伝導性樹脂といった良好な熱伝導性を有する材料から形成されている。そして、カバー部材５１２０は、器具本体１１０の収容凹部１１１の上内面１１１ａ１に熱的に接続された状態で固定されている。照明器具５１００は、主な構成要素として器具本体１１０およびカバー部材５１２０を有する。
【００５６】
発光ユニット２００が照明器具５１００に取り付けられた状態において、電源部２２０の長手方向に沿った側面（電源ケース２２２の外側面２２２ｂ１）の一方が、カバー部材５１２０のカバー部材側板部分５１２２と面接触している。従って、変形例４に係る照明装置５０００の構成によっても、電源部２２０において発生した熱がカバー部材５１２０へと伝わりやすい。そして、カバー部材５１２０は熱伝導性を有し、収容凹部１１１の内面１１１ａ上に熱接続状態で固定されているため、電源部２２０からカバー部材５１２０へと伝わった熱がさらに器具本体１１０へと伝わり、そこから天井材１等へと放熱される。これにより、電源部２２０の放熱性を向上させて、電源部２２０の過度の温度上昇を抑制することができる。そして、電源部２２０において発生した熱がＬＥＤ２１２ｂに及ぼす影響を低減することができる。
【００５７】
また、カバー部材５１２０が有する側板部分は、図７（ｂ）に示すものに限られない。図７（ｂ）に示す側とは反対側（図７（ｂ）においては、紙面手前側）のカバー部材側板部分５１２２でもよいし、短手方向に沿った側板部分（実施形態１に係るカバー部材１２０におけるカバー部材側板部分１２３に相当）のうちの何れか一方であってもよい。
（変形例５）
例えば、図６に示す変形例１に係るカバー部材２１２０の場合、発光ユニット２００が照明器具２１００に取り付けられて、電源部２２０が両カバー部材側板部分２１２２間に挟まれた状態になったとき、カバー部材側板部分２１２２と電源部２２０との間に空隙が存在すると、十分に面接触することができない。従って、しっかりとした面接触を実現するためには、両カバー部材側板部分２１２２が電源部２２０を挟む方向（内側）に若干付勢されているのがよい。そこで、次のような変形例が考えられる。
【００５８】
図８（ａ），（ｂ），（ｃ）は、変形例５に係る照明装置６０００において、照明器具６１００に発光ユニット２００が取り付けられる様子を示した断面図である。図８（ａ）は、照明器具６１００に発光ユニット２００が取り付けられる前の状態を示す断面図である。図８（ｂ）は、照明器具６１００に発光ユニット２００が取り付けられる途中の状態を示す断面図である。図８（ｃ）は、照明器具６１００への発光ユニット２００の取り付けが完了した状態を示す断面図である。照明器具６１００は、主な構成要素として、照明器具１１０およびカバー部材６１２０を有する。カバー部材６１２０は、カバー部材上板部分６１２１および一対のカバー部材側板部分６１２２を有し、カバー部材上板部分６１２１の外上面６１２１ｂが収容凹部１１１の上内面１１１ａ１に接した状態で固定されている。
【００５９】
図８（ａ）に示すように、発光ユニット２００が照明器具１１０に取り付けられていない状態において、カバー部材６１２０の両カバー部材側板部分６１２２間の間隔は、電源部２２０の幅Ｗよりも若干狭くなっている。従って、発光ユニット２００が照明器具１１０に取り付けられる際には、電源部２２０が両カバー部材側板部分６１２２を押し広げるように両カバー部材側板部分６１２２間に挿入される。このとき、カバー部材側板部分６１２２の下端領域６１２２ｂ間の間隔がＷよりも小さいと、電源部２２０の外上面２２２ａ１が下端領域６１２２ｂとぶつかって、カバー部材側板部分６１２２の間に電源部２２０を挿入することができない。そこで、本変形例に係るカバー部材６１２０においては、下端領域６１２２ｂが外側に湾曲しており、下端領域６１２２ｂ間の間隔がＷよりも若干広くなっている。これにより、図８（ｂ）に示すように、両カバー部材側板部分６１２２間に電源部２２０を下方から円滑に挿入することができる。そして、図８（ｃ）に示すように、発光ユニット２００が照明器具１１０に取り付けられた場合に、カバー部材側板部分６１２２には、外側に押し広げられた分だけ内側に戻ろうとする自己の付勢力が働き、カバー部材側板部分６１２２の内側面６１２２ａが電源部２２０の外側面２２２ｂ１に密に接触することができる。
【００６０】
しかしこのとき、下端領域６１２２ｂは外側に湾曲しているため、下端領域６１２２ｂを含むカバー部材側板部分６１２２の下端側の一部は電源部２２０の外側面２２２ｂ１に接していない。ここで、電源部２２０（の電源ケース２２２）の外側面２２２ｂ１の上下方向における長さをＬ１、外側面２２２ｂ１の内側面６１２２ａと面接触している部分の上下方向における長さをＬ２とした場合、Ｌ２がＬ１の少なくとも３０％以上であれば、面接触しているとみなすことができ、電源部２２０からの熱がカバー部材６１２０へと十分に伝わることができると考えられる。
【００６１】
なお、本変形例に係る照明装置６０００においても、電源部２２０の外上面２２２ａ１とカバー部材６１２０の内上面６１２１ａとの間には空隙が存在し、双方は接触していない。また、カバー部材６１２０の下端領域６１２２ｂは、取付部材２１１の上面２１１ｅ（図１（ｃ）参照）とは接触していない。これにより、振動により外上面２２２ａ１と内上面６１２１ａとが衝突して生じる衝突音や、下端領域６１２２ｂと上面２１１ｅとが衝突して生じる衝突音を防止することができる。
【００６２】
（変形例６）
上記各実施形態および各変形例においては、カバー部材は、収容凹部の上内面に熱的に接続された状態で固定されていたが、これに限られない。
図９（ａ）は、変形例６に係る照明装置７０００において、照明器具７１００と発光ユニット７２００とを分離し、さらにカバー部材１２０を器具本体１１０から取り外した状態を示す斜視図である。図９（ｂ）は、照明装置７０００の短手方向に沿った断面図である。
【００６３】
図７（ｂ）に示すように、カバー部材１２０は、外上面１２１ｂが収容凹部１１１の上内面１１１ａ１に接触して（熱的に接続されて）いるのに加え、一方の外側面１２２ｂが収容凹部１１１の一方の側内面１１１ａ２に接触して（熱的に接続されて）固定されている。
本変形例に係る照明装置７０００の構成によると、カバー部材１２０と器具本体１１０との接触面積をより大きくすることができる。従って、電源部２２０からカバー部材１２０へと伝わった熱が、より熱容量の大きな器具本体１１０へとより伝わりやすく、電源部２２０の放熱性をより向上させることができる。
【００６４】
なお、本変形例におけるカバー部材１２０は、外側面１２２ｂが側内面１１１ａ２と接触するように、側内面１１１ａ２に寄った位置に配置されている点を除いては、その形状や材料等は実施形態１に係るカバー部材１２０と同じであるため、同じ符号を付している。また、照明器具７１００は、上記のようにカバー部材１２０が配置されている位置が異なる点以外は、基本的な構成は、実施形態１に係る照明器具１００と同じである。発光ユニット７２００においては、側内面１１１ａ２に寄った位置に配置されたカバー部材１２０に対応した位置に電源部２２０が配置されている点を除いては、基本的な構成は、実施形態１に係る発光ユニット２００と同じである。
【００６５】
また、本変形例における照明装置７０００においても、電源部２２０の外上面２２２ａ１とカバー部材１２０の内上面１２１ａとは接触しておらず、双方の間には空隙が存在する。そして、カバー部材１２０のカバー部材側板部分１２２の下端１２２ｃおよびカバー部材側板部分１２３の下端１２３ｃは、取付部材２１１の上面２１１ｅには接触しておらず、双方が離間している。これにより、実施形態１の場合と同様に、変形例６に係る照明装置７０００の構成においても、振動による外上面２２２ａ１と内上面１１２１ａとの衝突音および、下端１２２ｃ，１２３ｃと上面２１１ｅとの衝突音の発生を防止することができる。
【００６６】
（変形例７）
上記変形例６においては、収容凹部１１１の側内面１１１ａ２に接触した状態で固定されたカバー部材１２０が、電源部２２０の４つの側面と面接触していたが、これに限られない。変形例７においては、収容凹部１１１の側内面１１１ａ２に接触した状態で固定されたカバー部材が、電源部の３つの側面と面接触する構成について以下に説明する。
【００６７】
図１０（ａ）は、変形例７に係る照明装置８０００において、照明器具８１００と発光ユニット７２００とを分離し、さらにカバー部材８１２０を器具本体１１０から取り外した状態を示す斜視図である。図９（ｂ）は、照明装置８０００の短手方向に沿った断面図である。図１０（ａ）に示すように、カバー部材８１２０は、カバー部材上板部分８１２１、１個のカバー部材側板部分８１２２および一対のカバー部材側板部分８１２３を有する。
【００６８】
図１０（ｂ）に示すように、カバー部材８１２０は、外上面８１２１ｂが収容凹部１１１の上内面１１１ａ１に接触して（熱的に接続されて）いるのに加え、外側面８１２２ｂが収容凹部１１１の側内面１１１ａ２に接触して（熱的に接続されて）固定されている。
本変形例に係る照明装置８０００の構成によっても、変形例６に係る照明装置７０００の場合と同様に、カバー部材８１２０と器具本体１１０との接触面積をより大きくすることができる。従って、電源部２２０からカバー部材８１２０へと伝わった熱が、より熱容量の大きな器具本体１１０へとより伝わりやすく、電源部２２０の放熱性をより向上させることができる。
【００６９】
なお、本変形例におけるカバー部材８１２０においては、カバー部材側板部分８１２２を１個のみ有し、カバー部材側板部分８１２２が存在しない部分は開口しているおり、当該開口から配線２を導出することができる。そのため、カバー部材側板部分８１２３には配線用切り欠きが設けられていない。カバー部材８１２０は、配線用切り欠きが設けられていない点、および外側面８１２２ｂが側内面１１１ａ２と接触するように、側内面１１１ａ２に寄った位置に配置されている点を除いては、形成されている材料や基本的な構成は、実施形態２に係るカバー部材１１２０と同じである。
【００７０】
また、本変形例における照明装置８０００においても、電源部２２０の外上面２２２ａ１とカバー部材８１２０の内上面８１２１ａとは接触しておらず、双方の間には空隙が存在する。そして、カバー部材８１２０のカバー部材側板部分８１２２の下端８１２２ｃおよびカバー部材側板部分８１２３の下端８１２３ｃは、取付部材２１１の上面２１１ｅには接触しておらず、双方が離間している。これにより、実施形態１の場合と同様に、変形例７に係る照明装置８０００の構成においても、振動による外上面２２２ａ１と内上面８１２１ａとの衝突音および、下端８１２２ｃ，８１２３ｃと上面２１１ｅとの衝突音の発生を防止することができる。
【００７１】
（変形例８）
上記変形例６においては、収容凹部１１１の側内面１１１ａ２に接触した状態で固定されたカバー部材１２０が、電源部２２０の４つの側面と面接触していた。また、変形例７においては、収容凹部１１１の側内面１１１ａ２に接触した状態で固定されたカバー部材８１２０が、電源部２２０の３つの側面と面接触していた。しかし、これらに限られない。
【００７２】
変形例８においては、収容凹部１１１の側内面１１１ａ２に接触した状態で固定されたカバー部材が、電源部の２つの側面と面接触する構成について以下に説明する。
図１１（ａ）は、変形例８に係る照明装置９０００において、照明器具９１００と発光ユニット７２００とを分離し、さらにカバー部材９１２０を器具本体１１０から取り外した状態を示す斜視図である。図１１（ｂ）は、照明装置９０００の短手方向に沿った断面図である。
【００７３】
図１１（ａ）に示すように、カバー部材９１２０は、１個のカバー部材側板部分９１２２および一対のカバー部材側板部分９１２３を有する。図１１（ｂ）に示すように、カバー部材９１２０は、外側面９１２２ｂが収容凹部１１１の側内面１１１ａ２に接触して（熱的に接続されて）固定されている。
本変形例に係る照明装置９０００の構成においては、カバー部材９１２０の内側面９１２２ａは、電源部２２０（電源ケース２２２）の外側面２２２ｂ１と接している。そして、カバー部材９１２０の両内側面９１２３ａは、電源部２２０（電源ケース２２２）の両外側面２２２ｃ１（図２参照）とそれぞれ接している。即ち、カバー部材９１２０は、電源部２２０の３つの側面と面接触している。よって、電源部２２０において発生した熱が、カバー部材９１２０へと伝わりやすい。そして、電源部２２０からカバー部材９１２０へと伝わった熱がさらに器具本体１１０へと伝わり、そこから天井材１等へと放熱される。これにより、電源部２２０の放熱性を向上させて、電源部２２０の過度の温度上昇を抑制することができる。
【００７４】
また、本変形例における照明装置９０００においては、電源部２２０の外上面２２２ａ１、カバー部材側板部分９１２２の上端９１２２ｄ、およびカバー部材側板部分９１２３の上端９１２３ｄと収容凹部１１１の上内面１１１ａ１とは接触しておらず、これらと上内面１１１ａ１との間には空隙が存在する。そして、カバー部材側板部分９１２２の下端９１２２ｃおよびカバー部材側板部分９１２３の下端９１２３ｃは、取付部材２１１の上面２１１ｅとは接触しておらず、双方が離間している。これにより、本変形例に係る照明装置９０００の構成においても、振動による上内面１１１ａ１と外上面２２２ａ１，上端９１２２ｄ，上端９１２３ｄとの衝突音および、上面２１１ｅと下端９１２２ｃ，９１２３ｃとの衝突音の発生を防止することができる。
【００７５】
（変形例９）
上記各実施形態および変形例１〜８においては、電源部の電源ケースは有底四角筒状であり、電源部の外観は直方体状であった。しかし、これに限られない。
図１２（ａ）は、変形例９に係る照明装置１００００において、照明器具１０１００と発光ユニット１０２００とを分離し、さらにカバー部材１０１２０を器具本体１１０から取り外した状態を斜め下方から見た斜視図である。図１２（ｂ）は、発光ユニット１０２００を斜め上方から見た斜視図である。図１２（ｃ）は、照明装置１００００の短手方向に沿った断面図である。
【００７６】
図１２（ａ）および図１２（ｂ）に示すように、電源部１０２２０は、円柱状の外観を有している。即ち、電源部１０２２０は、円筒状の電源ケース１０２２２を有している。電源ケース１０２２２は、不図示の電源基板を内部に収容した状態で、発光ユニット１０２００の取付部材２１１の上面２１１ｅに固定されている。電源ケース１０２２２には、配線用切り欠き１０２２２ｂ２が２か所に設けられており、配線用切り欠き１０２２２ｂ２を介して配線２が導出されている。発光ユニット１０２００は、主な構成要素として光源部２１０、電源部１０２２０、および端子台ブロック２３０を有する。
【００７７】
カバー部材１０１２０は、電源部１０２２０の電源ケース１０２２２の形状に対応した有底円筒状の形状を有している。カバー部材１０１２０のカバー部材上板部分１０１２１の外上面１０１２１ｂは、器具本体１１０の収容凹部１１１の上内面１１１ａ１に接触して（熱的に接続されて）固定されている。カバー部材１０１２０にも、電源ケース１０２２２の配線用切り欠き１０２２２ｂ２に対応した箇所に配線用切り欠き１０１２２ｃが設けられている。照明器具１０１００は、主な構成要素として、器具本体１１０およびカバー部材１０１２０を有する。
【００７８】
図１２（ｃ）に示すように、発光ユニット１０２００が照明器具１０１００に取り付けられた状態において、電源部１０２２０の外側面１０２２２ｂ１（より正確には、電源ケース１０２２２の外側面１０２２２ｂ１）は、カバー部材１０１２０のカバー部材側板部分１０１２２の内側面１０１２２ａと面接触している。本変形例においては、電源部１０２２０とカバー部材１０１２０とは、配線用切り欠きが設けられている箇所を除いて略全周に亘って面接触している。従って、電源部１０２２０で発生した熱がカバー部材１０１２０へと伝わりやすい。そして、カバー部材１０１２０へと伝わった熱は、器具本体１１０へとさらに伝わり、そこからさらに天井材１等へと放熱される。これにより、電源部１０２２０の放熱性を向上させて、電源部１０２２０の過度の温度上昇を抑制することができる。
【００７９】
また、図１２（ｃ）に示すように、本変形例に係る照明装置１００００においては、電源部１０２２０の外上面１０２２２ａ１（より正確には、電源ケース１０２２２の外上面１０２２２ａ１）とカバー部材１０１２０の内上面１０１２１ａとは接触しておらず、双方の間には空隙が存在する。そして、カバー部材１０１２０のカバー部材側板部分１０１２２の下端１０１２２ｄは、取付部材２１１の上面２１１ｅと接触していない。これにより、本変形例に係る照明装置１００００の構成においても、振動による上内面１１１ａ１と外上面１０２２２ａ１との衝突音および、上面２１１ｅと下端１０１２２ｄとの衝突音の発生を防止することができる。
【００８０】
（変形例１０）
変形例９においては、カバー部材１０１２０が電源部１０２２０の外側面１０２２２ｂ１の略全周に亘って面接触していたが、これに限られない。
図１３（ａ）は、変形例１０に係る照明装置１１０００において、照明器具１１１００と発光ユニット１１２００とを分離し、さらにカバー部材１１１２０を器具本体１１０から取り外した状態を斜め下方から見た斜視図である。図１３（ｂ）は、発光ユニット１１２００を斜め上方から見た斜視図である。図１３（ｃ）は、照明装置１１０００の短手方向に沿った断面図である。
【００８１】
図１３（ａ）および図１３（ｂ）に示すように、電源部１１２２０は、円柱状の形状を有する。より正確には、電源部１１２２０は、円筒状の電源ケース１１２２２を有する。電源ケース１１２２２は、不図示の電源基板を内部に収容した状態で、発光ユニット１１２００の取付部材２１１の上面２１１ｅに固定されている。電源ケース１１２２２には、配線用切り欠き１１２２２ｂ２が２か所に設けられており、配線用切り欠き１１２２２ｂ２を介して配線２が導出されている。電源部１１２２０は、長手方向に沿って中央で２分割した場合に、配線用切り欠き１１２２２ｂ２が一方側に寄った位置に両方とも形成されている点以外は、基本的な構成は、変形例９に係る電源部１０２２０と同じである。発光ユニット１１２００は、主な構成要素として光源部２１０、電源部１１２２０、および端子台ブロック２３０を有する。
【００８２】
カバー部材１１１２０の長手方向に沿った一方の側面は、長手方向に沿って平坦な平面である外側面１１１２０ｂである。カバー部材１１１２０の長手方向に沿った他方の側面は、電源部１１２２０の外側面１１２２２ｂ１の形状に対応した凹面である内側面１１１２０ａである。カバー部材１１１２０の外側面１１１２０ｂは、器具本体１１０の収容凹部１１１の側内面１１１ａ２に接触して（熱的に接続されて）固定されている。照明器具１１１００は、主な構成要素として、器具本体１１０およびカバー部材１１１２０を有する。
【００８３】
図１３（ｃ）に示すように、発光ユニット１１２００が照明器具１１１００に取り付けられた状態において、電源部１１２２０の外側面１１２２２ｂ１（より正確には、電源ケース１１２２２の外側面１１２２２ｂ１）は、カバー部材１１１２０の内側面１１１２０ａと面接触している。カバー部材１１１２０の上端１１１２０ｃは、収容凹部１１１の上内面１１１ａ１と離間している。カバー部材１１１２０の下端１１１２０ｄは、取付部材２１１の上面２１１ｅと離間している。本変形例においては、電源部１１２２０を長手方向に沿って中央で２等分した場合に、その半分の外側面とカバー部材１１１２０の内側面１１１２０ａとが面接触している。従って、電源部１１２２０で発生した熱がカバー部材１１１２０へと伝わりやすい。そして、カバー部材１１１２０へと伝わった熱は、側内面１１１ａ２から器具本体１１０へとさらに伝わり、そこからさらに天井材１等へと放熱される。これにより、電源部１１２２０の放熱性を向上させて、電源部１１２２０の過度の温度上昇を抑制することができる。
【００８４】
なお、配線用切り欠き１１２２２ｂ２は、電源ケース１１２２２のカバー部材１１１２０の内側面１１１２０ａと面接触していない側に２つとも設けられている。
また、図１３（ｃ）に示すように、本変形例に係る照明装置１１０００においては、電源部１１２２０の外上面１１２２２ａ１（より正確には、電源ケース１１２２２の外上面１１２２２ａ１）と収容凹部１１１の上内面１１１ａ１とは接触しておらず、双方の間には空隙が存在する。そして、カバー部材１１１２０の下端１１１２０ｄと、取付部材２１１の上面２１１ｅとは接触していない。これにより、本変形例に係る照明装置１１０００の構成においても、振動による上内面１１１ａ１と外上面１１２２２ａ１との衝突音および、上面２１１ｅと下端１１１２０ｄとの衝突音の発生を防止することができる。
【００８５】
（変形例１１）
変形例６および変形例７においては、カバー部材が収容凹部の上内面と側内面の両方に接触した状態で固定されていたが、これに限られない。カバー部材が側内面にのみ接触して固定され、上内面とは離間していてもよい。
（変形例１２）
変形例８および変形例１０においては、カバー部材が収容凹部の上内面と離間していたが、これに限られない。カバー部材が、収容凹部の上内面と側内面の両方に接触した状態で固定されていてもよい。
【００８６】
≪補足≫
以上で説明した実施形態および変形例は、いずれも本発明の好ましい一具体例を示すものである。実施形態で示される数値、形状、材料、構成要素、構成要素の配置位置及び接続形態、工程、工程の順序などは一例であり、本発明を限定する主旨ではない。また、実施形態における構成要素のうち、本発明の最上位概念を示す独立請求項に記載されていない構成要素については、より好ましい形態を構成する任意の構成要素として説明される。
【００８７】
また、発明を理解しやすく説明するために、上記各実施形態で挙げた各図の構成要素の縮尺は実際のものと異なる場合がある。上記示した各図は模式図であり、必ずしも厳密に図示したものではない。
本発明は上記各実施形態の記載によって限定されるものではなく、本発明の要旨を逸脱しない範囲において適宜変更可能である。例えば、実施形態１および２に係る照明装置の部分的な構成および上記各変形例に係る構成を、適宜組み合わせてなる照明装置であっても良い。
【符号の説明】
【００８８】
１０，１０００，２０００，３０００，４０００，５０００，６０００，７０００，８０００，９０００，１００００，１１０００  照明装置
１００，１１００，２１００，３１００，４１００，５１００，６１００，７１００，８１００，９１００，１０１００，１１１００  照明器具
１１０  器具本体
１１１  収容凹部
１１１ａ  内面
１１１ａ１  上内面
１１１ａ２  側内面
１２０，１１２０，２１２０，３１２０，４１２０，５１２０，６１２０，８１２０，９１２０，１０１２０，１１１２０  カバー部材
１２２，１２３，１１２２，１１２３，２１２２，３１２３，４１２２，４１２３，５１２２  カバー部材側板部分
１２２ａ，１２３ａ，１１２２ａ，１１２３ａ，２１２２ａ，３１２３ａ，４１２２ａ，４１２３ａ，５１２２ａ，６１２２ａ，８１２２ａ，８１２３ａ，９１２２ａ，９１２３ａ，１０１２２ａ，１１１２２ａ  内側面
２００，１２００，７２００，１０２００１１２００  発光ユニット
２１１，１２１１  取付部材
２１１ａ  底面部（下面）
２１１ｃ  上面
２１２ｂ  ＬＥＤ（半導体発光素子）
２２０，１０２２０，１１２２０  電源部
２２１  電源基板
２２２，１０２２２，１１２２２  電源ケース
２２２ａ１，１０２２２ａ１，１１２２２ａ１  外上面
２２２ｂ，２２２ｃ  電源ケース側板部分
２２２ｂ１，２２２ｃ１，１０２２２ｂ１，１１２２２ｂ１  外側面
【図１】
2015032354.tif 000003
【図２】
2015032354.tif 000004
【図３】
2015032354.tif 000005
【図４】
2015032354.tif 000006
【図５】
2015032354.tif 000007
【図６】
2015032354.tif 000008
【図７】
2015032354.tif 000009
【図８】
2015032354.tif 000010
【図９】
2015032354.tif 000011
【図１０】
2015032354.tif 000012
【図１１】
2015032354.tif 000013
【図１２】
2015032354.tif 000014
【図１３】
2015032354.tif 000015